(57)【要約】【課題】  簡単な構成で液体で湿らせた布や紙を提供できる収納体、蓋、または容器を提供しようとする。【解決手段】  従来のものを収納する収納体にかわって、密閉された第１空間と密閉された第２空間とに区画された密閉空間を形成する収納部材と、前記第１空間に収納された液体と、前記第２空間に収納された所定の形状に圧縮成形され布または紙でできた圧縮成形品と、を備え、前記収納部材の前記第１空間と前記第２空間との境になる箇所の少なくとも一箇所が人力で破れる、ものとした。【選択図】    図１
2008094409.tif 000002
【特許請求の範囲】
【請求項１】
ものを収納する収納体であって、
密閉された第１空間と密閉された第２空間とに区画された密閉空間を形成する収納部材と、
前記第１空間に収納された液体と、
前記第２空間に収納されており布または紙を所定の形状に圧縮成形してできた圧縮成形品と、
を備え、
前記収納部材の前記第１空間と前記第２空間との境になる箇所の少なくとも一箇所が人力で破れる、
ことを特徴とする収納体。
【請求項２】
ものを収納する収納体であって、
密閉された第１空間と密閉された第２空間とに区画された密閉空間を形成する収納部材と、
前記第１空間に収納された液体と、
前記第２空間に収納されており布または紙を所定の形状に圧縮成形してできた圧縮成形品と、
前記第１空間と前記第２空間とを連通する連通穴を有し圧力のかかった液体が前記連通穴を通過して前記第１空間から前記第２空間へ移動するのを許す弁と、
を備えることを特徴とする収納体。
【請求項３】
ものを収納する収納体であって、
密閉された第１空間を形成する第１収納部材と前記第１空間の中に収納され密閉された第２空間を形成する第２収納部材とを有する収納部材と、
前記第１空間または前記第２空間の一方に収納された液体と、
前記第１空間または前記第２空間の他方に収納されており布または紙を所定の形状に圧縮成形してできた圧縮成形品と、
を備え、
前記第２収納部材の前記第１空間に接する少なくも一箇所が人力で破れる、
ことを特徴とする収納体。
【請求項４】
ものを収納する収納体であって、
密閉された第１空間を形成する第１収納部材と前記第１空間の中に収納され密閉された第２空間を形成する第２収納部材とを有する収納部材と、
前記第１空間または前記第２空間の一方に収納された液体と、
前記第１空間または前記第２空間の他方に収納されており布または紙を所定の形状に圧縮成形してできた圧縮成形品と、
前記第１空間と前記第２空間とを連通する連通穴を有し圧力のかかった液体が前記連通穴を通過して前記第１空間または前記第２空間の一方から他方へ移動するの許す弁と、
を備えることを特徴とする収納体。
【請求項５】
液体を貯留可能な容器の注ぎ口を塞ぐことできる蓋であって、
前記注ぎ口の外周の凹凸部に嵌まり合う凹凸部を設けられた開口部と該開口部に連通可能に連なる窪み部とを形成する蓋体と、
布または紙を所定の形状に圧縮成形してできた圧縮成形品と、
を備え、
前記圧縮成形品が前記窪み部に収納される、
ことを特徴とする蓋。
【請求項６】
前記蓋体の前記開口部と前記窪み部とを連通する箇所を塞ぎ少なくとも一箇所が人力で破ることをできる隔壁を、
備えることを特徴とする請求項５に記載の蓋。
【請求項７】
前記蓋体の前記開口部と前記窪み部とを連通する箇所を塞ぐ隔壁と、
前記隔壁の一箇所に設けられた連通穴を有し圧力のかかった液体が前記連通穴を通過して前記開口部から前記窪み部へ移動するの許す弁と、
を備えることを特徴とする請求項５に記載の蓋。
【請求項８】
前記蓋体の前記開口部と前記窪み部とを連通する箇所を塞ぐ隔壁と、
突起部を設けられ前記開口部と前記窪み部とを連通する箇所に嵌まる形状の部材であって該突起部を前記隔壁に対面する様に配置される突起部材と、
を備え、
前記凹凸部がねじ部であって、
蓋体を注ぎ口にねじ込むと前記突起部が前記隔壁を破る、
ことを特徴とする請求項５に記載の蓋。
【請求項９】
前記蓋体が前記窪み部を外部に連通する窓を設けられた蓋体ケーシングと該窓を開閉自在とする開閉蓋とを持つ、
ことを特徴とする請求項５に記載の蓋。
【請求項１０】
前記蓋体が前記圧縮成形品を前記開口部から出ない様に保持する保持部を形成する、
ことを特徴とする請求項５に記載の蓋。
【請求項１１】
前記圧縮成形品が円柱形状に圧縮成形されており、
前記蓋体が前記円柱形状の外周部に引っ掛かる引っ掛かり部を形成する、
ことを特徴とする請求項５に記載の蓋。
【請求項１２】
前記圧縮成形品の全体を液密に覆い人力で破ることをできるカバーを、
備える、
ことを特徴とする請求項５に記載の蓋。
【請求項１３】
液体を貯留可能な容器の注ぎ口を塞ぐことできる蓋であって、
前記注ぎ口の外周の凹凸部に嵌まり合う凹凸部を設けられた開口部と前記開口部に連通しない窪み部とを持ち前記窪み部を外部に連通する窓を設けられた蓋体ケーシングと該窓を開閉自在とする開閉蓋とを有する蓋体と、
布または紙を所定の形状に圧縮成形してできた圧縮成形品と、
を備え、
前記圧縮成形品が前記窪み部に収納される、
ことを特徴とする蓋。
【請求項１４】
液体を貯留できる容器であって、
液体を貯留可能であって注ぎ口を持った容器本体と、
前記注ぎ口の外周の凹凸部に嵌まり合う凹凸部を設けられた開口部と該開口部に連通可能に連なる窪み部とを形成する蓋体と、
布または紙を所定の形状に圧縮成形してできた圧縮成形品と、
を備え、
前記圧縮成形品が前記窪み部に収納される、
ことを特徴とする容器。
【請求項１５】
前記蓋体の前記開口部と前記窪み部とを連通する箇所を塞ぎ少なくとも一箇所が人力で破ることをできる隔壁、
を備えることを特徴とする請求項１４に記載の容器。
【請求項１６】
前記蓋体の前記開口部と前記窪み部とを連通する箇所を塞ぐ隔壁と、
前記隔壁の一箇所に設けられた連通穴を有し圧力のかかった液体が前記連通穴を通過して前記開口部から前記窪み部へ移動するの許す弁と、
を備えることを特徴とする請求項１４に記載の容器。
【請求項１７】
前記蓋体の前記開口部と前記窪み部とを連通する箇所を塞ぐ隔壁と、
突起部を設けられ前記開口部と前記窪み部とを連通する箇所に嵌まる形状の部材であって該突起部を前記隔壁に対面する様に配置される突起部材と、
を備え、
前記凹凸部がねじ部であって、
蓋体を注ぎ口にねじ込むと前記突起部が前記隔壁を破る、
ことを特徴とする請求項１４に記載の容器。
【請求項１８】
前記蓋体が前記窪み部を外部に連通する窓を設けられた蓋体ケーシングと該窓を開閉自在とする開閉蓋とを持つ、
ことを特徴とする請求項１４に記載の容器。
【請求項１９】
前記蓋体が前記圧縮成形品を前記開口部から出ない様に保持する保持部を形成する、
ことを特徴とする請求項１４に記載の容器。
【請求項２０】
前記圧縮成形品が円柱形状に圧縮成形されており、
前記蓋体が前記円柱形状の外周部に引っ掛かる引っ掛かり部を形成する、
ことを特徴とする請求項１４に記載の容器。
【請求項２１】
前記圧縮成形品の全体を液密に覆い人力で破ることをできるカバーを、
備える、
ことを特徴とする請求項１４に記載の容器。
【請求項２２】
液体を貯留できる容器であって、
液体を貯留可能であって注ぎ口を持った容器本体と、
前記注ぎ口の外周の凹凸部に嵌まり合う凹凸部を設けられた開口部と前記開口部に連通しない窪み部とを持ち前記窪み部を外部に連通する窓を設けられた蓋体ケーシングと該窓を開閉自在とする開閉蓋とを有する蓋体と、
布または紙を所定の形状に圧縮成形してできた圧縮成形品と、
を備え、
前記圧縮成形品が前記窪み部に収納される、
ことを特徴とする容器。
【発明の詳細な説明】
【技術分野】
【０００１】
本発明は、ものを収納する収納体と液体を貯留できる容器とその蓋とに係る。特に、収納する構造に特徴のある収納体または蓋の構造に特徴のある容器またはその蓋に関する。
【背景技術】
【０００２】
生活の各種の状態で、液体で湿られた布や紙を用いる。
例えば、おしぼりを用いたり、化粧水等で湿らせた布や紙を用いる。
日常のどんな時でも、手軽にそのようなものを用いることが望まれる。
【０００３】
【特許文献１】特開２００２−３２６６１４号
【特許文献２】特開２００５−２４７４１９号
【特許文献３】特開２００５−００６９００号
【発明の開示】
【発明が解決しようとする課題】
【０００４】
本発明は以上に述べた問題点に鑑み案出されたもので、簡単な構成で液体で湿らせた布や紙を提供できる収納体、蓋、または容器を提供しようとする。
【課題を解決するための手段】
【０００５】
上記目的を達成するため、本発明に係るものを収納する収納体を、密閉された第１空間と密閉された第２空間とに区画された密閉空間を形成する収納部材と、前記第１空間に収納された液体と、前記第２空間に収納されており布または紙を所定の形状に圧縮成形してできた圧縮成形品と、を備え、前記収納部材の前記第１空間と前記第２空間との境になる箇所の少なくとも一箇所が人力で破れる、ものとした。
【０００６】
上記本発明の構成により、収納部材の密閉空間が密閉された第１空間と密閉された第２空間とに区画される。液体が、前記第１空間に収納される。布または紙を所定の形状に圧縮成形してできた圧縮成形品が、前記第２空間に収納される。前記収納部材の前記第１空間と前記第２空間との境になる箇所の少なくとも一箇所が人力で破れる。
その結果、前記収納部材の前記第１空間と前記第２空間との境になる箇所を破ると、液体が前記第２空間に入り圧縮成形品に吸収され、液体が滲みた布または紙をつくることをできる。
【０００７】
上記目的を達成するため、本発明に係るものを収納する収納体を、密閉された第１空間と密閉された第２空間とに区画された密閉空間を形成する収納部材と、前記第１空間に収納された液体と、前記第２空間に収納されており布または紙を所定の形状に圧縮成形してできた圧縮成形品と、前記第１空間と前記第２空間とを連通する連通穴を有し圧力のかかった液体が前記連通穴を通過して前記第１空間から前記第２空間へ移動するの許す弁と、
を備える、ものとした。
【０００８】
上記本発明の構成により、収納部材の密閉空間が密閉された第１空間と密閉された第２空間とに区画される。液体が、前記第１空間に収納される。布または紙を所定の形状に圧縮成形してできた圧縮成形品が、前記第２空間に収納される。前記弁が、圧力のかかった液体が前記連通穴を通過して前記第１空間から前記第２空間へ移動するの許す。
その結果、第１空間に圧力をかけると、液体が前記第２空間に入り圧縮成形品に吸収され、液体が滲みた布または紙をつくることをできる。
【０００９】
上記目的を達成するため、本発明に係るものを収納する収納体を、密閉された第１空間を形成する第１収納部材と前記第１空間の中に収納され密閉された第２空間を形成する第２収納部材とを有する収納部材と、前記第１空間または前記第２空間の一方に収納された液体と、前記第１空間または前記第２空間の他方に収納されており布または紙を所定の形状に圧縮成形してできた圧縮成形品と、を備え、前記第２収納部材の前記第１空間に接する少なくも一箇所が人力で破れる、ものとした。
【００１０】
上記本発明の構成により、第１収納部材が、密閉された第１空間を形成する。前記第１空間の中に収納された第２収納部材が密閉された第２空間を形成する。液体が、前記第１空間または前記第２空間の一方に収納される。布または紙を所定の形状に圧縮成形してできた圧縮成形品が、前記第１空間または前記第２空間の他方に収納される。前記第２収納部材の前記第１空間に接する少なくも一箇所が人力で破れる。
その結果、前記第２収納部材の前記第１空間に接する少なくも一箇所を破ると、前記液体が前記第１空間または前記第２空間の一方から他方へ入り、液体が滲みた布または紙をつくることをできる。
【００１１】
上記目的を達成するため、本発明に係るものを収納する収納体を、密閉された第１空間を形成する第１収納部材と前記第１空間の中に収納され密閉された第２空間を形成する第２収納部材とを有する収納部材と、前記第１空間または前記第２空間の一方に収納された液体と、前記第１空間または前記第２空間の他方に収納されており布または紙を所定の形状に圧縮成形してできた圧縮成形品と、前記第１空間と前記第２空間とを連通する連通穴を有し圧力のかかった液体が前記連通穴を通過して前記第１空間または前記第２空間の一方から他方へ移動するの許す弁と、
を備える、ものとした。
【００１２】
上記本発明の構成により、第１収納部材が、密閉された第１空間を形成する。前記第１空間の中に収納された第２収納部材が密閉された第２空間を形成する。液体が、前記第１空間または前記第２空間の一方に収納される。布または紙を所定の形状に圧縮成形してできた圧縮成形品が、前記第１空間または前記第２空間の他方に収納される。弁が、圧力のかかった液体が前記連通穴を通過して前記第１空間または前記第２空間の一方から他方へ移動するの許す。
その結果、第１空間または前記第２空間の一方に圧力をかけると、液体が前記第１空間または前記第２空間の他方へ入り、液体が滲みた布または紙をつくることをできる。
【００１３】
上記目的を達成するため、本発明に係る液体を貯留可能な容器の注ぎ口を塞ぐことできる蓋を、前記注ぎ口の外周の凹凸部に嵌まり合う凹凸部を設けられた開口部と該開口部に連通可能に連なる窪み部とを形成する蓋体と、布または紙を所定の形状に圧縮成形してできた圧縮成形品と、を備え、前記圧縮成形品が前記窪み部に収納されるものとした。
【００１４】
上記本発明の構成により、蓋体が、前記注ぎ口の外周の凹凸部に嵌まり合う凹凸部を設けられた開口部と該開口部に連通可能に連なる窪み部とを形成する。布または紙を所定の形状に圧縮成形してできた圧縮成形品が、前記窪み部に収納される。
その結果、蓋を液体を貯留した容器につけ、液体が開口部から窪み部に入ると、液体が滲みた布または紙をつくることをできる。
【００１５】
以下に、本発明の実施形態に係る蓋を説明する。本発明は、以下に記載した実施形態のいずれか、またはそれらの中の二つ以上が組み合わされた態様を含む。
【００１６】
さらに、本発明の実施形態に係る蓋は、前記蓋体の前記開口部と前記窪み部とを連通する箇所を塞ぎ少なくとも一箇所が人力で破ることをできる隔壁、を備える。
上記実施形態の構成により、隔壁が、前記開口部を塞ぐ。前記隔壁の少なくとも一箇所が人力で破ることをできる。
その結果、隔壁を破り、液体を貯留した容器に蓋を嵌め込むと、液体が窪み部に入り、液体が滲みた布または紙をつくることをできる。
【００１７】
さらに、本発明の実施形態に係る蓋は、前記蓋体の前記開口部と前記窪み部とを連通する箇所を塞ぐ隔壁と、前記隔壁の一箇所に設けられた連通穴を有し圧力のかかった液体が前記連通穴を通過して前記開口部から前記窪み部へ移動するの許す弁と、を備える
上記実施形態の構成により、隔壁が、前記蓋体の前記開口部と前記窪み部とを連通する箇所を塞ぐ。弁が、圧力のかかった液体が前記連通穴を通過して前記開口部から前記窪み部へ移動するの許す。
その結果、液体を貯留した容器に蓋を嵌め込み、容器の液体に圧力をかけると、液体が窪み部に入り、液体が滲みた布または紙をつくることをできる。
【００１８】
さらに、本発明の実施形態に係る蓋は、  前記蓋体の前記開口部と前記窪み部とを連通する箇所を塞ぐ隔壁と、突起部を設けられ前記開口部と前記窪み部とを連通する箇所に嵌まる形状の部材であって該突起部を前記隔壁に対面する様に配置される突起部材と、を備え、前記凹凸部がねじ部であって、蓋体を注ぎ口にねじ込むと前記突起部が前記隔壁を破る。
上記実施形態の構成により、隔壁が、前記蓋体の前記開口部と前記窪み部とを連通する箇所を塞ぐ。蓋体を注ぎ口にねじ込むと、突起部材の突起部が前記隔壁の少なくとも一箇所を破る。
その結果、蓋を容器の注ぎ口にねじ込むと、前記隔壁の少なくとも一箇所を破り、液体が窪み部に入り、液体が滲みた布または紙をつくることをできる。
【００１９】
さらに、本発明の実施形態に係る蓋は、前記蓋体が前記窪み部を外部に連通する窓を設けられた蓋体ケーシングと該窓を開閉自在とする開閉蓋とを持つ。
上記実施形態の構成により、前記蓋体に設けられた開閉蓋が、前記窪み部の窓を開閉自在とする。
その結果、開閉蓋を空けて、窪み部から液体が滲みた布または紙を取りだせる。
【００２０】
さらに、本発明の実施形態に係る蓋は、前記蓋体が前記圧縮成形品を前記開口部から出ない様に保持する保持部を形成する。
上記実施形態の構成により、前記蓋体の保持部が前記圧縮成形品を保持する。
その結果、圧縮成形品が窪み部からこぼれない。
【００２１】
さらに、本発明の実施形態に係る蓋は、前記圧縮成形品が円柱形状に圧縮成形されており、前記蓋体が前記円柱形状の外周部に引っ掛かる引っ掛かり部を形成する、
上記実施形態の構成により、前記蓋体の保持部の引っ掛かり部が外周部に引っ掛かり前記圧縮成形品を保持する。
その結果、圧縮成形品が窪み部からこぼれない。
【００２２】
さらに、本発明の実施形態に係る蓋は、前記圧縮成形品の全体を液密に覆い人力で破ることをできるカバーを、備える。
上記実施形態の構成により、液が蓋の窪み部に液体が浸入しても圧縮成形品が濡れず、カバーを人力で破ると圧縮成形品が液体を吸収する。
【００２３】
上記目的を達成するため、本発明に係る液体を貯留可能な容器の注ぎ口を塞ぐことできる蓋を、前記注ぎ口の外周の凹凸部に嵌まり合う凹凸部を設けられた開口部と前記開口部に連通しない窪み部とを持ち前記窪み部を外部に連通する窓を設けられた蓋体ケーシングと該窓を開閉自在とする開閉蓋とを有する蓋体と、布または紙を所定の形状に圧縮成形してできた圧縮成形品と、を備え、前記圧縮成形品が前記窪み部に収納される、ものとした。
【００２４】
上記発明の構成により、蓋体が、前記注ぎ口の外周の凹凸部に嵌まり合う凹凸部を設けられた開口部と前記開口部に連通しない窪み部とを持ち前記窪み部を外部に連通する窓を設けられた蓋体ケーシングと該窓を開閉自在とする開閉蓋とを有する。布または紙を所定の形状に圧縮成形してできた圧縮成形品が、前記窪み部に収納される。
その結果、圧縮成形品と液体とを同時に運ぶことができる。
【００２５】
上記目的を達成するため、本発明に係る液体を貯留できる容器を、液体を貯留可能であって注ぎ口を持った容器本体と、前記注ぎ口の外周の凹凸部に嵌まり合う凹凸部を設けられた開口部と該開口部に連通可能に連なる窪み部とを形成する蓋体と、布または紙を所定の形状に圧縮成形してできた圧縮成形品と、を備え、前記圧縮成形品が前記窪み部に収納される、ものとした。
【００２６】
上記本発明の構成により、注ぎ口を持った容器本体が、液体を貯留可能である。蓋体が、前記注ぎ口の外周の凹凸部に嵌まり合う凹凸部を設けられた開口部と該開口部に連通可能に連なる窪み部とを形成する。布または紙を所定の形状に圧縮成形してできた圧縮成形品が、前記窪み部に収納される。
その結果、蓋を液体を貯留した容器につけ、液体が開口部から窪み部に入ると、液体が滲みた布または紙をつくることをできる。
【００２７】
以下に、本発明の実施形態に係る容器を説明する。本発明は、以下に記載した実施形態のいずれか、またはそれらの中の二つ以上が組み合わされた態様を含む。
【００２８】
さらに、本発明の実施形態に係る容器は、前記蓋体の前記開口部と前記窪み部とを連通する箇所を塞ぎ少なくとも一箇所が人力で破ることをできる隔壁を、備える。
上記実施形態の構成により、隔壁が、前記蓋体の前記開口部と前記窪み部とを連通する箇所を塞ぐ。前記隔壁の少なくとも一箇所が人力で破ることをできる。
その結果、隔壁を破り、液体を貯留した容器に蓋を嵌め込むと、液体が窪み部に入り、液体が滲みた布または紙をつくることをできる。
【００２９】
さらに、本発明の実施形態に係る容器は、前記蓋体の前記開口部と前記窪み部とを連通する箇所を塞ぐ隔壁と、前記隔壁の一箇所に設けられた連通穴を有し圧力のかかった液体が前記連通穴を通過して前記開口部から前記窪み部へ移動するの許す弁と、を備える。
上記実施形態の構成により、隔壁が、前記蓋体の前記開口部と前記窪み部とを連通する箇所を塞ぐ。弁が、圧力のかかった液体が前記連通穴を通過して前記開口部から前記窪み部へ移動するの許す。
その結果、液体を貯留した容器に蓋を嵌め込み、容器の液体に圧力をかけると、液体が窪み部に入り、液体が滲みた布または紙をつくることをできる。
【００３０】
さらに、本発明の実施形態に係る容器は、前記蓋体の前記開口部と前記窪み部とを連通する箇所を塞ぐ隔壁と、突起部を設けられ前記開口部と前記窪み部とを連通する箇所に嵌まる形状の部材であって該突起部を前記隔壁に対面する様に配置される突起部材と、を備え、前記凹凸部がねじ部であって、蓋体を注ぎ口にねじ込むと前記突起部が前記隔壁を破る。
上記実施形態の構成により、隔壁が、前記蓋体の前記開口部と前記窪み部とを連通する箇所を塞ぐ。蓋体を注ぎ口にねじ込むと、突起部材の突起部が前記隔壁の少なくとも一箇所を破る。
その結果、蓋を容器の注ぎ口にねじ込むと、前記隔壁の少なくとも一箇所を破り、液体が窪み部に入り、液体が滲みた布または紙をつくることをできる。
【００３１】
さらに、本発明の実施形態に係る容器は、前記蓋体が前記窪み部を外部に連通する窓を設けられた蓋体ケーシングと該窓を開閉自在とする開閉蓋とを持つ。
上記本発明の構成により、前記蓋体に設けられた前記開閉蓋が、前記窪み部の窓を開閉自在とする。
その結果、前記開閉蓋を空けて、前記窪み部から液体が滲みた布または紙を取りだせる。
【００３２】
さらに、本発明の実施形態に係る容器は、前記蓋体が前記圧縮成形品を前記開口部から出ない様に保持する保持部を形成する。
上記本発明の構成により、前記蓋体の保持部が前記圧縮成形品を保持する。
その結果、圧縮成形品が窪み部からこぼれない。
【００３３】
さらに、本発明の実施形態に係る容器は、前記圧縮成形品が円柱形状に圧縮成形されており、前記蓋体が前記円柱形状の外周部に引っ掛かる引っ掛かり部を形成する、
上記実施形態の構成により、前記蓋体の保持部の引っ掛かり部が外周部に引っ掛かり前記圧縮成形品を保持する。
その結果、圧縮成形品が窪み部からこぼれない。
【００３４】
さらに、本発明の実施形態に係る蓋は、前記圧縮成形品の全体を液密に覆い人力で破ることをできるカバーを、備える。
上記実施形態の構成により、液が蓋の窪み部に液体が浸入しても圧縮成形品が濡れず、カバーを人力で破ると圧縮成形品が液体を吸収する。
【００３５】
上記目的を達成するため、本発明に係る液体を貯留できる容器を、液体を貯留可能であって注ぎ口を持った容器本体と、前記注ぎ口の外周の凹凸部に嵌まり合う凹凸部を設けられた開口部と前記開口部に連通しない窪み部とを持ち前記窪み部を外部に連通する窓を設けられた蓋体ケーシングと該窓を開閉自在とする開閉蓋とを有する蓋体と、布または紙を所定の形状に圧縮成形してできた圧縮成形品と、を備え、前記圧縮成形品が前記窪み部に収納される、ものとした。
【００３６】
上記発明の構成により、注ぎ口を持った容器本体が、液体を貯留可能である。蓋体が、前記注ぎ口の外周の凹凸部に嵌まり合う凹凸部を設けられた開口部と前記開口部に連通しない窪み部とを持ち前記窪み部を外部に連通する窓を設けられた蓋体ケーシングと該窓を開閉自在とする開閉蓋とを有する。布または紙を所定の形状に圧縮成形してできた圧縮成形品が、前記窪み部に収納される。
その結果、圧縮成形品と液体とを同時に運ぶことができる。
【発明の効果】
【００３７】
以上説明したように、本発明に係る収納体は、その構成により、以下の効果を有する。
圧縮成形品が布または紙を所定の形状に圧縮成形してできたものであり、密閉空間の中に前記液体の収納される前記第１空間と前記圧縮成形品の収納される前記第２空間とを設け、前記第１空間と前記第２空間との境になる箇所の少なくとも一箇所が人力で破れる様にしたので、前記収納部材の前記第１空間と前記第２空間との境になる箇所を破ると、液体が前記第２空間に入り圧縮成形品に吸収され、液体が滲みた布または紙をつくることをできる。
また、密閉空間の中に前記液体の収納される前記第１空間と前記圧縮成形品の収納される前記第２空間とを設け、圧力のかかった液体が前記連通穴を通過して前記第１空間から前記第２空間へ移動するの許す様にしたので、第１空間に圧力をかけると、液体が前記第２空間に入り圧縮成形品に吸収され、液体が滲みた布または紙をつくることをできる。
また、第１空間の中に第２空間を設け、一方に液体を納め、他方に前記圧縮成形品を納め、第２収納部材の前記第１空間に接する少なくも一箇所が人力で破れる様にしたので、第２収納部材の前記第１空間に接する少なくも一箇所を破ると、液体が圧縮成形品の側に入り、液体が滲みた布または紙をつくることをできる。
また、また、第１空間の中に第２空間を設け、一方に液体を納め、他方に前記圧縮成形品を納め、圧力のかかった液体が前記連通穴を通過して前記第１空間または前記第２空間の一方から他方へ移動するの許す様にしたので、液体に圧力をかけると、液体が圧縮成形品の側に入り、液体が滲みた布または紙をつくることをできる。
【００３８】
以上説明したように、本発明に係る容器とその蓋は、その構成により、以下の効果を有する。
圧縮成形品が布または紙を所定の形状に圧縮成形してできたものであり、容器の注ぎ口の凹凸部に嵌まり合う蓋の窪み部に布または紙を所定の形状に圧縮成形してできた圧縮成形品を設けたので、液体を貯留した容器に蓋を嵌めると、液体が窪み部に入り、液体が滲みた布または紙をつくることをできる。
また、開口部を塞ぐ隔壁の一部を人力で破れる様にしたので、隔壁を破り、液体を貯留した容器に蓋を嵌め込むと、液体が窪み部に入り、液体が滲みた布または紙をつくることをできる。
また、開口部を塞ぐ隔壁の一部に連通穴を設けて、圧力のかかった液体が前記連通穴を通過できる様にしたので、液体を貯留した容器に蓋を嵌め込み、液体に圧力をかけると、液体が窪み部に入り、液体が滲みた布または紙をつくることをできる。
また、開口部を塞ぐ隔壁の一部を破る突起部を持つ突起部材をもうける様にしたので、液体を貯留した容器に蓋をねじ込むと、液体が窪み部に入り、液体が滲みた布または紙をつくることをできる。
また、蓋の一部に開閉蓋で開閉できる窓をもうけたので、圧縮成形品を窓から出し入れできる。
また、蓋に前記圧縮成形品を前記開口部から出ない様に保持する保持部を形成したので、圧縮成形品が開口部からこぼれない。
また、蓋が円柱形状の圧縮成形品の外周部を引っかける様にしたので、前記蓋体の保持部の引っ掛かり部が外周部に引っ掛かり前記圧縮成形品を保持する。
また、前記圧縮成形品の全体をカバーを覆ったので、液が蓋の窪み部に液体が浸入しても圧縮成形品が濡れず、カバーを人力で破ると圧縮成形品が液体を吸収する。
また、圧縮成形品が布または紙を所定の形状に圧縮成形してできたものであり、容器の注ぎ口の凹凸部に嵌まり合う蓋の窪み部に布または紙を所定の形状に圧縮成形してできた圧縮成形品を設けたので、圧縮成形品と液体とを同時に運ぶことができる。
従って、簡単な構成で液体を滲ませた布や紙を提供できる収納体、蓋、または容器を提供できる。
【発明を実施するための最良の形態】
【００３９】
以下、本発明を実施するための最良の形態を、図面を参照して説明する。
説明の便宜のために、地震の加速度が対象物を揺する場合を例に、説明する。
【００４０】
最初に、本発明の第一の実施形態に係る収納体を、図を基に、説明する
図１は、本発明の第一の実施形態に係る収納体の正面図である。図３は、本発明の第一、第二の実施形態に係る収納体のＡ−Ａ断面図である。
【００４１】
本発明の第１の実施形態にかかる収納体は、ものを収納するものであって、収納部材１０と液体２０と圧縮成形品３０とで構成される。
収納部材１０は、密閉空間を持つ。
密閉空間Ｓは、密閉された第１空間Ｓ１と密閉された第２空間Ｓ２とに区画される。
収納部材１０の第１空間と第２空間との境になる箇所の少なくとも一箇所が人力で破れる様になっている。
例えば、収納部材１０は、樹脂製フィルムでできており、外周が溶着され、第１空間と第２空間との境が溶着される。
図中で、網線で描かれた部分が溶着された部分である。
収納部材１０は、他のものに保持されるための被保持部１０ａを設けられてもよい。
例えば、被保持部１０ａは、収納部材１０の一部に設けられた輪状の部分である。
例えば、ペットボトルの注ぎ口に被保持部１０ａを掛けて、収納体をぶらさげる。
【００４２】
液体２０は、第１空間Ｓ１に収納される。
例えば、液体２０は、水、消毒薬、油、化粧水等である。
【００４３】
圧縮成形品３０は、布または紙を所定の形状に圧縮成形してできたものであって、第２空間Ｓ２に収納される。
例えば、圧縮成形品は、円柱状の形状に圧縮された不織布である。乾燥した不織布をシリンダ状の穴に納めて、上下から圧縮することによりつくられる。
所定の形状は、目的により任意である。例えば、所定の形状は、円柱形状の形であったり、ハートの形であったり、船を模した形であったりする。
例えば、乾燥した布を所定の形状に圧縮成形した圧縮成形品を。「圧縮固化布製品」と通称している。
例えば、乾燥したシート状の不織布を所定の形状に圧縮成形した圧縮成形品で、液体で湿らせたタオルとして用いる目的のものを、「圧縮タオル」と通称している。
圧縮成形品は、乾燥状態を維持する間は、所定の形状を維持する。
圧縮成形品3０は、液体２０を吸収すると、膨張して展開する。
例えば、圧縮成形品がシート状の不織布を圧縮成形したものであるとすると、圧縮成形品が液体を吸収して、濡れた不織布のシートとなる。
【００４４】
収納体を保存すると、液体２０と圧縮成形品３０が各々に保存される。
人力で、収納部材１０の第１空間と第２空間との境になる箇所の少なくとも一箇所を破ると、液体２０が第２空間Ｓ２に侵入し、圧縮成形品に吸収される。
【００４５】
次ぎに、本発明の第二の実施形態に係る収納体を、図を基に、説明する
図２は、本発明の第二の実施形態に係る収納体の正面図である。図３は、本発明の第一、第二の実施形態に係る収納体のＡ−Ａ断面図である。
【００４６】
本発明の第二の実施形態にかかる収納体は、ものを収納するものであって、収納部材１０と液体２０と圧縮成形品３０と弁４０とで構成される。
収納部材１０は、密閉空間Ｓを持つ。
密閉空間Ｓは、密閉された第１空間Ｓ１と密閉された第２空間Ｓ２とに区画される。
例えば、収納部材１０は、樹脂製フィルムでできており、外周が溶着され、第１空間と第２空間との境が溶着される。
【００４７】
液体２０は、第１空間Ｓ１に収納される。
例えば、液体２０は、水、消毒薬、油、化粧水等である。
【００４８】
圧縮成形品３０は、布または紙を所定の形状に圧縮成形してできたものであって、第２空間Ｓ２に収納される。
例えば、圧縮成形品は、円柱状の形状に圧縮された不織布である。乾燥した不織布をシリンダ状の穴に納めて、上下から圧縮することによりつくられる。
圧縮成形品は、乾燥状態を維持する間は、所定の形状を維持する。
圧縮成形品3０は、液体２０を吸収すると、膨張して展開する。
例えば、圧縮成形品がシート状の不織布を圧縮成形したものであるとすると、圧縮成形品が液体を吸収して、濡れた不織布のシートとなる。
【００４９】
弁４０は、第１空間Ｓ１と第２空間Ｓ２とを連通する連通穴４１を有し、圧力のかかった液体が連通穴４１を通過して第１空間Ｓ１から第２空間Ｓ２へ移動するのを許すものである。
弁４０は、収納部材の第１空間と第２空間との境になる箇所に設けられる。
図２は、第１空間Ｓ１と第２区間Ｓ２とを隔てる境の一箇所が溶着されずに形成された連通穴４１が設けられ、連通穴４１の一箇所を線状に溶着した部分で塞いだものを示している。
第１空間Ｓ１に収納された液体２０に圧力が作用すると、液体２０が溶着した線状の部分を破り連通穴４１を通って第２空間Ｓ２に移動する。
【００５０】
液体２０と圧縮成形品３０とが、収納体に各々に保存される。
人力で、収納部材１０の第１空間を押すと、圧力のかかった液体２０が連通穴を通過して第２空間Ｓ２に侵入し、圧縮成形品に吸収される。
【００５１】
次ぎに、本発明の第三の実施形態に係る収納体を、図を基に、説明する
図４は、本発明の第三の実施形態に係る収納体の正面図である。図６は、本発明の第三、第四の実施形態に係る収納体のＢ−Ｂ断面図である。
【００５２】
本発明の第三の実施形態にかかる収納体は、ものを収納するものであって、収納部材１０と液体２０と圧縮成形品３０とで構成される。
収納部材１０は、第１収納部材１１と第２収納部材１２とで構成される。
第１収納部材１１は、密閉された第１空間Ｓ１を形成する。
第２収納部材１２は、第１空間Ｓ１の中に収納され、密閉された第２空間Ｓ２を形成する
第２収納部材１２の第１空間Ｓ１に接する少なくも一箇所が人力で破れる。
例えば、収納部材１０は、樹脂製フィルムでできており、外周が溶着される。
樹脂製フィルムでできた袋状の第２収納部材１２が、樹脂製フィルムでできた袋状の第１収納部材１１のなかに、納められる。
収納部材１０は、他のものに保持されるための被保持部１０ａを設けられてもよい。
例えば、被保持部１０ａは、収納部材１０の一部に設けられた輪状の部分である。
例えば、ペットボトルの注ぎ口に被保持部１０ａを掛けて、収納体をぶらさげる。
【００５３】
液体２０は、第１空間Ｓ１または第２空間Ｓ２の一方に収納される。
例えば、液体２０は、水、消毒薬、油、化粧水等である。
図４は、液体２０が第２空間Ｓ２に収納されるのを示している。
【００５４】
圧縮成形品３０は、布または紙を所定の形状に圧縮成形してできたものであって、第１空間Ｓ１または第２空間Ｓ２の他方に収納される。
例えば、圧縮成形品３０は、第１空間Ｓ１に収納される。
例えば、圧縮成形品は、円柱状の形状に圧縮された不織布である。乾燥した不織布をシリンダ状の穴に納めて、上下から圧縮することによりつくられる。
圧縮成形品は、乾燥状態を維持する間は、所定の形状を維持する。
圧縮成形品3０は、液体２０を吸収すると、膨張して展開する。
例えば、圧縮成形品がシート状の不織布を圧縮成形したものであるとすると、圧縮成形品が液体を吸収して、濡れた不織布のシートとなる。
【００５５】
液体２０と圧縮成形品３０とが、収納体の中で各々に保存される。
人力で、収納部材１０の第１空間と第２空間との境になる箇所の少なくとも一箇所を破ると、液体２０が第１空間Ｓ１または第２空間Ｓ２に他方に侵入し、圧縮成形品に吸収される。
【００５６】
次ぎに、本発明の第四の実施形態に係る収納体を、図を基に、説明する
図５は、本発明の第四の実施形態に係る収納体の正面図である。図６は、本発明の第三、第四の実施形態に係る収納体のＡ−Ａ断面図である。
【００５７】
本発明の第四の実施形態にかかる収納体は、ものを収納するものであって、収納部材１０と液体２０と圧縮成形品３０と弁４０とで構成される。
収納部材１０は、第１収納部材１１と第２収納部材１２とで構成される。
第１収納部材１１は、密閉された第１空間Ｓ１を形成する。
第２収納部材１２は、第１空間Ｓ１の中に収納され、密閉された第２空間Ｓ２を形成する
例えば、収納部材１０は、樹脂製フィルムでできており、外周を溶着される。
樹脂製フィルムでできた袋状の第２収納部材１２が、樹脂製フィルムでできた袋状の第１収納部材１１のなかに、納められる。
【００５８】
液体２０は、第１空間Ｓ１または第２空間の一方に収納される。
例えば、液体２０は、水、消毒薬、油、化粧水等である。
図５は、液体２０が第２空間Ｓ２に収納されるのを、示す。
【００５９】
圧縮成形品３０は、布または紙を所定の形状に圧縮成形してできたものであって、第１空間Ｓ１または第２空間Ｓ２の他方に収納される。
例えば、圧縮成形品は、円柱状の形状に圧縮された不織布である。乾燥した不織布をシリンダ状の穴に納めて、上下から圧縮することによりつくられる。
圧縮成形品は、乾燥状態を維持する間は、所定の形状を維持する。
圧縮成形品3０は、液体２０を吸収すると、膨張して展開する。
例えば、圧縮成形品がシート状の不織布を圧縮成形したものであるとすると、圧縮成形品が液体を吸収して、濡れた不織布のシートとなる。
【００６０】
弁４０は、第１空間Ｓ１と第２空間Ｓ２とを連通する連通穴４１を有し、圧力のかかった液体が連通穴４１を通過して第１空間Ｓ１または第２空間Ｓ２の一方から他方へ移動するの許すものである。
または、弁４０は、圧力のかかった液体が連通穴４１を通過して第１空間Ｓ１または第２空間Ｓ２の一方から他方へ移動するの許し、さらに逆向きに移動するのを阻止する弁である。
弁４０は、第２収納部材の第１空間に接する少なくも一箇所に設けられる。
図５は、第２収納部材の一箇所に連通穴４１が設けられ、弾性板がその連通穴４１を第１空間Ｓ１の側から塞いだものを示している。
第２空間Ｓ２に収納された液体２０に圧力が作用すると、液体２０が弾性板を押しのけて連通穴を通って第１空間Ｓ１に移動する。
【００６１】
液体２０と圧縮成形品３０が、収納体に各々に保存される。
人力で、収納部材１０の第２空間Ｓ２を押すと、圧力のかかった液体２０が第１空間Ｓ１に侵入し、圧縮成形品に吸収される。
【００６２】
次に、本発明の第五の実施形態に係る容器とその蓋とを、図を基に、説明する。
図７は、本発明の第五の実施形態に係る容器と蓋との断面図である。
【００６３】
容器は、液体を貯留できるものであって、容器本体５０と蓋６０とで構成される。
蓋６０は、液体を貯留可能な容器の注ぎ口５２を塞ぐことのできるものであって、蓋体６１と圧縮成形品３０とで構成される。
【００６４】
容器本体５０は、液体を貯留可能な容器ケーシング５１と注ぎ口５２とを持ったものである。
注ぎ口６２は、容器ケーシング５１の上端部に設けられる。
注ぎ口５２の外周には、凹凸部が形成される。
例えば、注ぎ口５２の外周には、雄ねじ５２ａと鍔５２ｂとが形成される。
雄ねじには、キャップがねじ込まれる。
鍔は、キャップが容易に外れないようにするロック部材を止める部分である。
例えば、容器本体５０は、ペットボトルである。
また、容器本体５０は、ガラス瓶である。
【００６５】
蓋体６１は、開口部Ｏと窪み部Ｓ４とを形成するものである。
開口部Ｏは、注ぎ口５２の外周の凹凸部に嵌まり合う凹凸部を設けられる。
例えば、開口部Ｏは、雄ねじ５１ａに嵌合する雌ねじ６２を設けられる。
窪み部Ｓ３は、開口部Ｏに連通可能に連なる。
例えば、窪み部Ｓ３を形成する壁が開口部Ｏに繋がり、窪み部Ｓ３と開口部Ｏが常に連通する。
例えば、蓋体６１は、一方の端部に雌ねじ６２を設けられた開口部Ｏを形成し、他方の端部が閉じられた中空の円筒状形状のプラスチック製のものである。中空部が窪み部Ｓ３に相当する。
【００６６】
圧縮成形品３０は、布または紙を所定の形状に圧縮成形してできたものである。
圧縮成形品３０は、窪み部Ｓ３に収納される。例えば、圧縮成形品３０は、窪み部Ｓ３の壁に接着される。
例えば、圧縮成形品は、円柱状の形状に圧縮された不織布である。乾燥した不織布をシリンダ状の穴に納めて、上下から圧縮することによりつくられる。
圧縮成形品は、乾燥状態を維持する間は、所定の形状を維持する。
圧縮成形品3０は、液体２０を吸収すると、膨張して展開する。
例えば、圧縮成形品がシート状の不織布を圧縮成形したものであるとすると、圧縮成形品が液体を吸収して、濡れた不織布のシートとなる。
【００６７】
次に、本発明の第六の実施形態に係る容器とその蓋とを、図を基に、説明する。
図８は、本発明の第六の実施形態に係る容器と蓋との断面図である。
【００６８】
容器は、液体を貯留できるものであって、容器本体５０と蓋６０とで構成される。
蓋６０は、液体を貯留可能な容器の注ぎ口５２を塞ぐことのできるものであって、蓋体６１と圧縮成形品３０とで構成される。
【００６９】
容器本体５０は、第五の実施形態にかかる容器のものと同じなので、説明を省略する。
【００７０】
蓋体６１は、開口部Ｏと窪み部Ｓ３と保持部６１ｃとを形成するするものであり、蓋体ケーシング６１ａと開閉蓋６１ｂとで構成される。
開口部Ｏは、注ぎ口５２の外周の凹凸部に嵌まり合う凹凸部を設けられる。
例えば、開口部Ｏは、雄ねじ５１ａに嵌合する雌ねじ６２を設けられる。
窪み部Ｓ３は、開口部Ｏに連通可能に連なる。
例えば、窪み部Ｓ３を形成する壁が開口部Ｏに繋がり、窪み部Ｓ３と開口部Ｏが常に連通する。
保持部６１ｃは、圧縮成形品を開口部Ｏから出ない様に保持するものである。
蓋体ケーシング６１ａは、注ぎ口の外周の凹凸部に嵌まり合う凹凸部を設けられた開口部Ｏと開口部Ｏに連通可能に連なった窪み部Ｓ３を形成し、窪み部Ｓ３を外部に連通する窓を設けられるものである。
開閉蓋６１ｂは、窓を開閉自在とする蓋である。
保持部６１ｃは、後述する圧縮成形品３０を開口部から出ない様に保持する部分である。
例えば、蓋体ケーシング６１ａは、一方の端部に雌ねじ６２が設けられ、他方の端部に設けられた窓を開閉蓋６１ｂで閉じられた中空の円筒状形状である。中空部が窪み部Ｓ３に相当する。開閉蓋６１ｂが、蓋体ケーシング６１ａに蝶番で連結し、蝶番を中心に揺動して窓を開閉する。
保持部６１ｃは、円筒状形状の内壁に設けられた円環状の突起である。
【００７１】
圧縮成形品３０は、第五の実施形態にかかる容器のものと同じなので、説明を省略する。
【００７２】
次に、本発明の第七の実施形態に係る容器とその蓋とを、図を基に、説明する。
図９は、本発明の第七の実施形態に係る容器と蓋との断面図である。
【００７３】
容器は、液体を貯留できるものであって、容器本体５０と蓋６０とで構成される。
蓋６０は、液体を貯留可能な容器の注ぎ口５２を塞ぐことのできるものであって、蓋体６１と圧縮成形品３０と隔壁７０とで構成される。
【００７４】
容器本体５０は、第五の実施形態にかかる容器のものと同じなので、説明を省略する。
【００７５】
蓋体６１は、開口部Ｏと窪み部Ｓ３と保持部６１ｃとを形成するものであり、蓋体ケーシング６１ａと開閉蓋６１ｂとで構成される。
開口部Ｏは、注ぎ口５２の外周の凹凸部に嵌まり合う凹凸部を設けられる。
例えば、開口部Ｏは、雄ねじ５１ａに嵌合する雌ねじ６２を設けられる。
窪み部Ｓ３は、開口部Ｏに連通可能に連なる。
例えば、窪み部Ｓ３を形成する壁が開口部Ｏに繋がり、後述する隔壁７０が窪み部Ｓ３と開口部Ｏと一時的に分離する。
蓋体ケーシング６１ａは、注ぎ口の外周の凹凸部に嵌まり合う凹凸部を設けられた開口部Ｏと開口部Ｏに連通可能に連なる窪み部Ｓ３を形成し、窪み部を外部に連通する窓を設けられるものである。
開閉蓋６１ｂは、窓を開閉自在とするものである。
保持部６1ｃは、後述する圧縮成形品３０を保持する部分である。
例えば、蓋体ケーシング６１ａは、一方の端部に雌ねじ６２が設けられた開口部Ｏをもち、他方の端部が開閉蓋６３で閉じられた窓をもつ中空の円筒状形状である。開口部Ｏに連通する中空部が窪み部Ｓ３に相当する。開閉蓋６１ｂが、蓋体ケーシング６１ａに蝶番で連結し、蝶番を中心に揺動して窓を開閉する。
保持部６１ｃは、円筒状形状の内壁に設けられた円環状の突起である。
【００７６】
圧縮成形品３０は、第五の実施形態にかかる容器のものと同じなので、説明を省略する。
【００７７】
隔壁７０は、蓋体の開口部と窪み部とを連通する箇所を一時的に塞ぎ、少なくとも一箇所が人力で破ることをできるものである。
例えば、隔壁７０は、樹脂製フィルムまたは金属薄膜であり、蓋体６１の窪み部を塞ぐ様に、窪み部Ｓ３の雌めじ部６２より奥側に設けられる。
隔壁７０があるので、容器本体の液体と圧縮成形品とは別々に保存される。
隔壁を指または棒等で突き破って、蓋６０をねじ込んだ容器を逆さにすると、液体２０が窪み部に侵入する。
または、図９では、蓋を無理にねじ込むと、注ぎ口の端部が隔壁を突き破り、蓋をねじ込んだ容器を逆さにすると、液体２０が窪み部に侵入する。
圧縮成形品が液体を吸って、液体を浸した布または紙ができあがる。
開閉蓋６３を開くと、液体を浸した布または紙を取りだすことをできる。
【００７８】
次に、本発明の第八の実施形態に係る容器とその蓋とを、図を基に、説明する。
図１０は、本発明の第八の実施形態に係る容器と蓋との断面図である。図１１は、本発明の第八の実施形態に係る容器と蓋とのＣ−Ｃ断面図である。
【００７９】
容器は、液体を貯留できるものであって、容器本体５０と蓋６０とで構成される。
蓋は６０は、液体を貯留可能な容器の注ぎ口５２を塞ぐことをできるものであって、蓋体６１と圧縮成形品３０と隔壁７０と弁８０とで構成される。
【００８０】
容器本体５０は、第五の実施形態にかかる容器のものと同じなので、説明を省略する。
【００８１】
蓋体６１は、開口部Ｏと窪み部Ｓ３と保持部６１ｃとを形成するものであり、蓋体ケーシング６１ａと開閉蓋６１ｂとで構成される。
開口部Ｏは、注ぎ口５２の外周の凹凸部に嵌まり合う凹凸部を設けられる。
例えば、開口部Ｏは、雄ねじ５１ａに嵌合する雌ねじ６２を設けられる。
窪み部Ｓ３は、開口部Ｏに連通可能に連なる。
例えば、窪み部Ｓ３を形成する壁が開口部Ｏに繋がる。後述する隔壁７０が窪き部Ｓ３と開口部Ｏとを一時的に分離する。
蓋体ケーシング６１ａは、注ぎ口の外周の凹凸部に嵌まり合う凹凸部を設けられた開口部開口部Ｏと開口部Ｏに連通可能に連なる窪み部Ｓ３を形成し、窪み部Ｓ３を外部に連通する窓を設けられるものである。
開閉蓋６１ｂは、窓を開閉自在とするものである。
保持部６１ｃは、後述する圧縮成形品３０を保持する部分である。
例えば、蓋体ケーシング６１ａは、一方の端部に雌ねじが設けられた開口部Ｏを設けられ、他方の端部が開閉蓋６３で閉じられた窓をもつ中空の円筒状形状のプラスチック製のものである。中空部が窪み部に相当する。
保持部６１ｃは、円筒状形状の内壁に設けられた円環状の突起である。
【００８２】
圧縮成形品３０は、第五の実施形態にかかる容器のものと同じなので、説明を省略する。
【００８３】
隔壁７０は、蓋体の開口部Ｏと窪み部Ｓ３とを連通する箇所を塞ぐものである。
例えば、隔壁７０は、開口部Ｏと窪み部Ｓ３とを一時的に分離するために、窪み部Ｓ３を形成する壁に固着する板材である。
隔壁７０は、後述する弁が設けられる。
【００８４】
弁８０は、隔壁７０の一箇所に設けられた連通穴８１を有し、圧力のかかった液体が連通穴８１を通過して開口部Ｏから窪み部Ｓ３へ移動するのを許すものである。
例えば、図１１に示すとおり、隔壁７０は、樹脂製板であり、一部に連通穴が設けられ、弾性板が窪み部の側から連通穴を塞いでいる。弾性板の一部が隔壁７０に固定される。
隔壁７０があるので、容器本体の液体と圧縮成形品とは別々に保存される。
蓋をねじ込んだ容器を逆さにし、容器本体をへこませる。液体に圧力が作用し、液体が弾性板を押しのけ、容器本体から隔壁７０の連通穴を通過して窪み部に入る。
圧縮成形品が液体を吸って、液体を浸した布または紙ができあがる。
開閉蓋６３を開くと、液体を浸した布または紙を取りだすことをできる。
【００８５】
次に、本発明の第九の実施形態に係る容器とその蓋とを、図を基に、説明する。
図１２は、本発明の第九の実施形態に係る容器と蓋との断面図である。図１３は、本発明の第九の実施形態に係る容器と蓋とのＤ−Ｄ断面図である。
【００８６】
容器は、液体を貯留できるものであって、容器本体５０と蓋６０とで構成される。
蓋６０は、液体を貯留可能な容器の注ぎ口５２を塞ぐことのできるものであって、蓋体６１と圧縮成形品３０と隔壁７０と突起部材９０とで構成される。
【００８７】
容器本体５０は、第五の実施形態にかかる容器のものと同じなので、説明を省略する。
【００８８】
蓋体６１は、開口部Ｏと窪み部Ｓ３と保持部６１ｃを形成するものであり、蓋体ケーシング６１ａと開閉蓋６１ｂとで構成される。
開口部Ｏは、注ぎ口５２の外周の凹凸部に嵌まり合う凹凸部を設けられる。
例えば、開口部Ｏは、雄ねじ５１ａに嵌合する雌ねじ６２を設けられる。
窪み部Ｓ３は、開口部Ｏに連通可能に連なる。
例えば、窪み部Ｓ３を形成する壁が開口部Ｏに繋がり、後述する隔壁７０が窪み部Ｓ３と開口部Ｏとを一時的に分離する。
蓋体ケーシング６１ａは、注ぎ口の外周の凹凸部に嵌まり合う凹凸部を設けられた開口部Ｏと開口部Ｏに連通可能に連なる窪み部Ｓ３とを形成し、窪み部Ｓ３を外部に連通する窓を設けられるものである。
開閉蓋６１ｂは、壁材に設けられて窪み部を開閉自在とするものである。
保持部６１ｃは、後述する圧縮成形品３０を保持する部分である。
例えば、蓋体ケーシング６１ａは、一方の端部に雌ねじ６２が設けられた開口部Ｏをもち、他方の端部が開閉蓋６３で閉じられた窓をもつ中空の円筒状形状である。開口部Ｏに連通する中空部が窪み部Ｓ３に相当する。開閉蓋６１ｂが、蓋体ケーシング６１ａに蝶番で連結し、蝶番を中心に揺動して窓を開閉する。
保持部６１ｃは、円筒状形状の内壁に設けられた円環状の突起である。
【００８９】
圧縮成形品３０は、第五の実施形態にかかる容器のものと同じなので、説明を省略する。
【００９０】
隔壁７０は、蓋体６１の開口部Ｏと窪み部Ｓ３とを連通する箇所を塞ぎものである。
例えば、隔壁７０は、樹脂製フィルムであり、蓋体６１の窪み部を塞ぐ様に、窪み部Ｓ３の雌めじ部６２より奥側に設けられる。
【００９１】
突起部材９０は、突起部９０ａを設けられ開口部Ｏと窪み部Ｓ３とを連通する箇所に嵌まる形状の部材であって、突起部９０ａを隔壁７０に対面する様に配置される部材である。
蓋体６０を注ぎ口５２にねじ込むと、突起部９０ａが隔壁７０を破る。
図１２と図１３は、突起部材９０が笠状に拡がり一部に貫通穴９２を設けられた部材９１である一例を示している。
隔壁７０があるので、容器本体の液体と圧縮成形品とは別々に保存される。
蓋をねじ込むと、突起部材９０の突起部が隔壁を突き破り、蓋をねじ込んだ容器を逆さにすると、液体２０が窪み部に侵入する。
圧縮成形品が液体を吸って、液体を浸した布または紙ができあがる。
開閉蓋６３を開くと、液体を浸した布または紙を取りだすことをできる。
【００９２】
次に、本発明の第十の実施形態に係る容器とその蓋とを、図を基に、説明する。
図１４は、本発明の第十の実施形態に係る容器と蓋との断面図である。
【００９３】
容器は、液体を貯留できるものであって、容器本体５０と蓋６０とで構成される。
蓋６０は、液体を貯留可能な容器の注ぎ口５２を塞ぐことのできるものであって、蓋体６１と圧縮成形品３０とカバー３５とで構成される。
【００９４】
容器本体５０は、第五の実施形態にかかる容器のものと同じなので、説明を省略する。
【００９５】
蓋体６１は、開口部Ｏと窪み部Ｓ３と引っ掛かり部６１ｄとを形成するするものであり、蓋体ケーシング６１ａと開閉蓋６１ｂとで構成される。
開口部Ｏは、注ぎ口５２の外周の凹凸部に嵌まり合う凹凸部を設けられる。
例えば、開口部Ｏは、雄ねじ５１ａに嵌合する雌ねじ６２を設けられる。
窪み部Ｓ３は、開口部Ｏに連通可能に連なる。
例えば、窪み部Ｓ３を形成する壁が開口部Ｏに繋がり、窪み部Ｓ３と開口部Ｏが常に連通する。
引っ掛かり部６１ｄは、円柱形の圧縮成形品の外周部に引っ掛かる部分である。
蓋体ケーシング６１ａは、注ぎ口の外周の凹凸部に嵌まり合う凹凸部を設けられた開口部Ｏと開口部Ｏに連通可能に連なった窪み部Ｓ３と圧縮成形品に引っ掛かる引っ掛かり部６１とを形成するものである。
引っ掛かり部６１ｄは、後述する圧縮成形品３０の外周部を引っかける部分である。
例えば、蓋体ケーシング６１ａは、一方の端部に雌ねじ６２が設けられ、他方に中空部をもった円筒状形状である。中空部が窪み部に相当する。
引っ掛かり部６１ｄは、窪み部Ｓ３を形成する壁に設けられ、圧縮成形品３０に引っ掛かる爪をもった円環状の突起である。
【００９６】
圧縮成形品３０は、第五の実施形態にかかる容器のものと同じなので、説明を省略する。
【００９７】
カバー３５は、圧縮成形品３０の全体を液密に覆い人力で破ることをできるものである。
例えば、カバー３５は、熱収縮して圧縮成形品３０の外形を輪郭に沿って覆うプラスチックフィルムである。
【００９８】
次に、本発明の第十一の実施形態に係る容器とその蓋とを、図を基に、説明する。
図１５は、本発明の第十一の実施形態に係る容器と蓋との断面図である。図１６は、本発明の第十一の実施形態に係る容器と蓋とのＥ−Ｅ断面図である。
【００９９】
容器は、液体を貯留できるものであって、容器本体５０と蓋６０とで構成される。
蓋６０は、液体を貯留可能な容器の注ぎ口５２を塞ぐことのできるものであって、蓋体６１と圧縮成形品３０とカバー３５とで構成される。
【０１００】
容器本体５０は、第五の実施形態にかかる容器のものと同じなので、説明を省略する。
容器本体５０の注ぎ口５２には通常のキャップ５３とロック部材５４とが取り付けられる。
ロック部材５４は、キャップ６４に固着し、キャップ６４の回転を拘束する部材である。
キャップ５４を強く回すと、キャップ６４とロック部材６４との固着が外れ、キャップ５４を自由に回すことができる。キャップ５４を回して、注ぎ口５２から外すことをできる。
【０１０１】
蓋体６１は、開口部Ｏと窪み部Ｓ３と引っ掛かり部６１ｄとを形成するするものであり、蓋体ケーシング６１ａで構成される。
開口部Ｏは、注ぎ口５２の外周の凹凸部に嵌まり合う凹凸部を設けられる。
例えば、開口部Ｏは、鍔部５２ｂに嵌まり合う突起部６３を内周に設けられる。
図１５、図１６は、突起部の一例を示す。
例えば、突起部６３は、開口部Ｏの内壁に設けられた複数の爪状部材である。
人力で蓋６０を引っ張ると、突起部６３は鍔部５２ｂから外れて、蓋６０を分離できる。
窪み部Ｓ３は、開口部Ｏに連通可能に連なる。
例えば、窪み部Ｓ３を形成する壁が開口部Ｏに繋がり、窪み部Ｓ３と開口部Ｏが常に連通する。
引っ掛かり部６１ｄは、円柱形の圧縮成形品の外周部に引っ掛かる部分である。
蓋体ケーシング６１ａは、注ぎ口の外周の凹凸部に嵌まり合う凹凸部を設けられた開口部Ｏと開口部Ｏに連通可能に連なった窪み部Ｓ３と圧縮成形品に引っ掛かる引っ掛かり部６１とを形成するものである。
引っ掛かり部６１ｄは、後述する圧縮成形品３０の外周部を引っかける部分部分である。
例えば、蓋体ケーシング６１ａは、一方の端部に突起部６３が設けられ、他方に中空部をもった円筒状形状である。中空部が窪み部に相当する。
引っ掛かり部６１ｄは、窪み部Ｓ３を形成する壁にもうかられ、圧縮成形品に引っ掛かる爪をもった円環状の突起である。
【０１０２】
圧縮成形品３０は、第五の実施形態にかかる容器のものと同じなので、説明を省略する。
【０１０３】
次に、本発明の第十二の実施形態に係る容器とその蓋とを、図を基に、説明する。
図１７は、本発明の第十二の実施形態に係る容器と蓋との断面図である。
【０１０４】
容器は、液体を貯留できるものであって、容器本体５０と蓋６０とで構成される。
蓋６０は、液体を貯留可能な容器の注ぎ口５２を塞ぐことのできるものであって、蓋体６１と圧縮成形品３０とで構成される。
【０１０５】
容器本体５０は、第五の実施形態にかかる容器のものと同じなので、説明を省略する。
【０１０６】
蓋体６１は、開口部Ｏと窪み部Ｓ３とを形成するするものであり、蓋体ケーシング６１ａと開閉蓋６１ｂとで構成される。
開口部Ｏは、注ぎ口５２の外周の凹凸部に嵌まり合う凹凸部を設けられる。
例えば、開口部Ｏは、雄ねじ５１ａに嵌合する雌ねじ６２を設けられる。
窪み部Ｓ３は、開口部Ｏに連通しない。
例えば、窪み部Ｓ３を形成する壁が開口部Ｏに繋がり、窪み部Ｓ３と開口部Ｏとの間に仕切り壁が存在する。この仕切り壁は通常の散り扱い方では穴等があかない。
例えば、蓋体ケーシング６１ａは、一方の端部に雌ねじ６２が設けられた第１中空部と、他方の端部に設けられた窓を開閉蓋６１ｂで閉じられた第２中空部をもった円筒状形状である。第２中空部が窪み部に相当する。開閉蓋６１ｂが、蓋体ケーシング６１ａに蝶番で連結し、蝶番を中心に揺動して窓を開閉する。
【０１０７】
圧縮成形品３０は、第五の実施形態にかかる容器のものと同じなので、説明を省略する。
【０１０８】
以下に、本発明の実施形態にかかる収納体、容器、蓋の作用を、図を基に、説明する。
図１８は、本発明の実施形態に係る収納体と容器と蓋との作用説明図その１である。図１９は、本発明の実施形態に係る収納体と容器と蓋との作用説明図その２である。
説明の便宜上、図１８は、第七の実施形態にかかる容器を図示する。
圧縮成形品に液体を沁ませると、圧縮成形品が液体を吸収して圧縮成形品が膨張する。
圧縮成形品を収納体または蓋から取りだす。
液体が十分に吸収した圧縮成形品をほぐすと、シート状に展開できる。
展開した圧縮成形品は、液体の滲みたシートである。
【０１０９】
また、以上説明したように本発明に係る  収納体は、構成により、以下の効果を有する。
密閉空間Ｓの中に液体の収納される第１空間Ｓ１と圧縮成形品の収納される第２空間Ｓ２とを設け、第１空間Ｓ１と第２空間Ｓ２との境になる箇所の少なくとも一箇所が人力で破れる様にしたので、収納部材１０の第１空間Ｓ１と第２空間Ｓ２との境になる箇所を破ると、液体２０が第２空間Ｓ２に入り圧縮成形品３０に吸収され、圧縮成形品３０が布または紙を所定の形状に圧縮成形してできたものであるので、液体が滲みた布または紙をつくることをできる。
また、密閉空間Ｓの中に液体の収納される第１空間Ｓ１と圧縮成形品の収納される第２空間Ｓ２とを設け、第１空間Ｓ１と第２空間Ｓ２との間を連通する連通穴を設けたので、第１空間に圧力をかけると、液体２０が第２空間に入り圧縮成形品３０に吸収され、圧縮成形品３０が布または紙を所定の形状に圧縮成形してできたものであるので、液体が滲みた布または紙をつくることをできる。
また、第１空間の中に第２空間を設け、一方に液体を納め、他方に圧縮成形品を納め、第２収納部材の第１空間に接する少なくも一箇所が人力で破れる様にしたので、第２収納部材の第１空間に接する少なくも一箇所を破ると、液体２０が圧縮成形品の側に入り圧縮成形品３０に吸収され、圧縮成形品３０が布または紙を所定の形状に圧縮成形してできたものであるので、液体が滲みた布または紙をつくることをできる。
また、また、第１空間の中に第２空間を設け、一方に液体を納め、他方に圧縮成形品を納め、第２収納部材の第１空間に接する少なくも一箇所に第１空間と第２空間を連通する連通穴を設けたので、液体に圧力をかけると、液体が圧縮成形品の側に入り圧縮成形品３０に吸収され、圧縮成形品３０が布または紙を所定の形状に圧縮成形してできたものであるので、液体が滲みた布または紙をつくることをできる。
【０１１０】
以上説明したように、本発明に係る容器とその蓋は、その構成により、以下の効果を有する。
容器の注ぎ口の雄ねじにねじ込める蓋６０の窪み部Ｓ３に布または紙を所定の形状に圧縮成形してできた圧縮成形品３０を設けたので、液体２０を貯留した容器本体５０に蓋６０をねじ込むと、液体２０が窪み部Ｓ３に入り圧縮成形品３０に吸収され、液体が滲みた布または紙をつくることをできる。
また、蓋体６１の開口部Ｏと窪み部Ｓ３とを連通する箇所を塞ぐ隔壁７０の一部を人力で破れる様にしたので、隔壁７０を破り、液体を貯留した容器に蓋をねじ込むと、液体が窪み部Ｓ３に入り圧縮成形品３０に吸収され、液体が滲みた布または紙をつくることをできる。
また、蓋体６１の開口部Ｏと窪み部Ｓ３とを連通する箇所を塞ぐ隔壁７０の一部に液体が通過する貫通孔をもった弁８０を設ける様にしたので、液体を貯留した容器に蓋をねじ込むと、液体２０が連通穴８１を通過して窪み部Ｓ３に入り圧縮成形品３０に吸収され、液体が滲みた布または紙をつくることをできる。
また、蓋体６１の開口部Ｏと窪み部Ｓ３とを連通する箇所を塞ぐ隔壁７０の一部を破る突起部を持つ突起部材９０をもうける様にしたので、液体を貯留した容器に蓋をねじ込むと、突起部材９０が隔壁７０を破り、液体２０が窪み部に入り圧縮成形品３０に吸収され、液体が滲みた布または紙をつくることをできる。
また、蓋体６１に窪み部Ｓ３と外部を連通する窓を設け、窓を開閉可能な開閉蓋６１ｂを設けたので、開閉蓋６１ｂを開けて、圧縮成形品をとりだすことをできる。
また、蓋体６１に圧縮成形品３０が開口部Ｏからこぼれないようにする保持部６１ｃを設けたので、圧縮成形品３０がこぼれない。また、液体２０が圧縮成形品３０に吸収されると、圧縮成形品３０が柔らかく変形し、開口部Ｏからもとりだすことをできる。
また、蓋が円柱形状の圧縮成形品の外周部を引っかける様にしたので、蓋体の保持部の引っ掛かり部が外周部に引っ掛かり圧縮成形品を保持する。
また、圧縮成形品の全体をカバーを覆ったので、液が蓋の窪み部に液体が浸入しても圧縮成形品が濡れず、カバーを人力で破ると圧縮成形品が液体を吸収する。
また、圧縮成形品が布または紙を所定の形状に圧縮成形してできたものであり、容器の注ぎ口の凹凸部に嵌まり合う蓋の窪み部に布または紙を所定の形状に圧縮成形してできた圧縮成形品を設けたので、圧縮成形品と液体とを同時に運ぶことができる。
【０１１１】
本発明は以上に述べた実施形態に限られるものではなく、発明の要旨を逸脱しない範囲で各種の変更が可能である。
第三または第四の実施形態の収納体の説明において液体が第２空間に収納され、圧縮成形品が第１空間に収納される例で説明したが、これに限定されず、例えば、液体が第１空間に収納され、圧縮成形品が第２空間に収納されてもよい。
【図面の簡単な説明】
【０１１２】
【図１】本発明の第一の実施形態に係る収納体の正面図である。
【図２】本発明の第二の実施形態に係る収納体の正面図である。
【図３】本発明の第一、第二の実施形態に係る収納体のＡ−Ａ断面図である。
【図４】本発明の第三の実施形態に係る収納体の正面図である。
【図５】本発明の第四の実施形態に係る収納体の正面図である。
【図６】本発明の第三、第四の実施形態に係る収納体のＢ−Ｂ断面図である。
【図７】本発明の第五の実施形態に係る容器と蓋との断面図である。
【図８】本発明の第六の実施形態に係る容器と蓋との断面図である。
【図９】本発明の第七の実施形態に係る容器と蓋との断面図である。
【図１０】本発明の第八の実施形態に係る容器と蓋との断面図である。
【図１１】本発明の第八の実施形態に係る容器と蓋とのＣ−Ｃ断面図である。
【図１２】本発明の第九の実施形態に係る容器と蓋との断面図である。
【図１３】本発明の第九の実施形態に係る容器と蓋とのＤ−Ｄ断面図である。
【図１４】本発明の第十の実施形態に係る容器と蓋との断面図である。
【図１５】本発明の第十一の実施形態に係る容器と蓋との断面図である。
【図１６】本発明の第十一の実施形態に係る容器と蓋とのＥ−Ｅ断面図である。
【図１７】本発明の第十二の実施形態に係る容器と蓋との断面図である。
【図１８】本発明の実施形態に係る収納体と容器と蓋との作用説明図その１である。
【図１９】本発明の実施形態に係る収納体と容器と蓋との作用説明図その２である。
【符号の説明】
【０１１３】
Ｓ      密閉空間
Ｓ１    第１空間
Ｓ２    第２空間
Ｓ３    窪み部
Ｏ    開口部
１０    収納部材
１０ａ  被保持部
１１    第１収納部材
１２    第２収納部材
２０    液体
３０    圧縮成形品
３５    カバー
４０    弁
４１    連通穴
５０    容器本体
５１    容器ケーシング
５２    注ぎ口
５２ａ  雄ねじ部
５２ｂ  鍔部
５３    キャップ
５４    ロック部材
６０    蓋
６１    蓋体  
６１ａ  蓋体ケーシング
６１ｂ  開閉蓋
６１ｃ  保持部
６１ｄ  引っ掛かり部
６２    雌ねじ
６３    突起部
７０    隔壁
８０    弁
８１    連通穴
９０    突起部材
【図１】
2008094409.tif 000003
【図２】
2008094409.tif 000004
【図３】
2008094409.tif 000005
【図４】
2008094409.tif 000006
【図５】
2008094409.tif 000007
【図６】
2008094409.tif 000008
【図７】
2008094409.tif 000009
【図８】
2008094409.tif 000010
【図９】
2008094409.tif 000011
【図１０】
2008094409.tif 000012
【図１１】
2008094409.tif 000013
【図１２】
2008094409.tif 000014
【図１３】
2008094409.tif 000015
【図１４】
2008094409.tif 000016
【図１５】
2008094409.tif 000017
【図１６】
2008094409.tif 000018
【図１７】
2008094409.tif 000019
【図１８】
2008094409.tif 000020
【図１９】
2008094409.tif 000021